(57)【要約】      （修正有）【課題】照明装置を容易に登録して制御する照明制御システムを提供する。【解決手段】照明制御方法及びシステムは、中央制御装置と、中継装置と、照明装置と、電源スイッチを備える。電源スイッチがＯＮされると登録モードが開始され、電源スイッチは照明装置と通信し、照明装置の受信信号強度に応じて、照明制御装置が、照明装置の少なくともいずれか一つを電源スイッチに登録して照明装置を制御するように構成される。【選択図】図１３
2015097211.tif 000002
【特許請求の範囲】
【請求項１】
照明装置と、
前記照明装置に登録要求信号を伝送し、前記照明装置から伝送される前記登録要求信号に対応する応答メッセージを受信し、前記受信された応答メッセージの受信信号強度に応じて、前記照明装置の少なくともいずれか一つを登録する照明制御装置と、を備え、
前記照明装置はそれぞれ、前記照明装置を互いに識別するための固有の識別データを有し、前記応答メッセージに自身の識別データを含めて伝送し、
前記照明制御装置は、
前記登録要求信号を伝送し、前記応答メッセージを受信する通信部と、
前記応答メッセージ内に含まれた識別データを記憶して前記照明装置を登録し、前記記憶された識別データに基づいて、前記登録された照明装置と他の照明装置とを区別して、前記登録された照明装置に制御信号を伝送する制御部と、を含む、照明制御システム。
【請求項２】
前記制御部は、予め記憶された受信信号強度を超える応答メッセージを伝送した照明装置を登録することを特徴とする、請求項１に記載の照明制御システム。
【請求項３】
前記照明制御装置は、前記制御部の制御下で、登録要求キー及び入力窓を含む表示画面を表示するための表示部を、更に備え、
前記制御部は、
前記登録要求キーが選択されたとき、前記照明装置に前記登録要求信号を伝送し、
前記入力窓に前記照明装置の識別情報が入力されたとき、前記照明装置に対応して前記識別情報を登録することを特徴とする、請求項２に記載の照明制御システム。
【請求項４】
前記照明制御装置は、
前記制御部の制御下で、前記照明装置をオン／オフするためのスイッチと、
前記照明装置の調光を制御するための制御手段と、
を含む表示画面を表示するための表示部を、更に備え、
前記制御部は、前記スイッチ又は前記制御手段による指令を把握して、前記照明装置を制御することを特徴とする、請求項１乃至３のいずれか一項に記載の照明制御システム。
【請求項５】
前記制御部は、
前記照明装置のいずれか一つを基準照明装置として登録し、
前記基準照明装置を制御して、他の照明装置の少なくともいずれか一つを、周辺照明装置として登録することを特徴とする、請求項１乃至４のいずれか一項に記載の照明制御システム。
【請求項６】
前記基準照明装置は、
前記照明制御装置の指令によって、前記他の照明装置に周辺検索信号を伝送し、
前記他の照明装置の少なくともいずれか一つから、前記周辺検索信号に対応する応答メッセージを受信して、前記照明制御装置に通知し、
前記照明制御装置は、前記基準照明装置を介して伝送される他の照明装置の少なくともいずれか一つから伝送された応答メッセージの受信信号強度に応じて、前記周辺照明装置の登録を実行することを特徴とする、請求項５に記載の照明制御システム。
【請求項７】
照明制御装置から照明装置に登録要求信号が伝送されるステップと、
前記照明制御装置が前記照明装置から前記登録要求信号に対応する応答メッセージを受信するステップと、
前記応答メッセージの受信信号強度に応じて、前記照明制御装置が、前記照明装置の少なくともいずれか一つを登録するステップと、を有し、
前記照明装置はそれぞれ、前記照明装置を互いに識別するための固有の識別データを有し、前記応答メッセージに自身の識別データを含めて伝送し、
前記照明制御装置は、前記応答メッセージ内に含まれた識別データを記憶して前記照明装置を登録し、前記記憶された識別データに基づいて、前記登録された照明装置と他の照明装置とを区別して、前記登録された照明装置に制御信号を伝送する、照明制御方法。
【請求項８】
前記登録ステップは、前記応答メッセージの受信信号強度が、予め記憶された受信信号強度を超えたとき、前記照明制御装置が、前記照明装置を登録するステップを含むことを特徴とする、請求項７に記載の照明制御方法。
【請求項９】
前記登録ステップは、
登録モード時に、前記照明制御装置が、登録要求キー及び入力窓を含む表示画面を表示するステップと、
前記登録要求キーが選択されたとき、前記照明制御装置が、前記照明装置に前記登録要求信号を伝送するステップと、
前記応答メッセージの受信信号強度が予め記憶された受信信号強度を超え、前記入力窓に前照明装置の識別情報が入力されたとき、前記照明制御装置が、前記照明装置に対応して前記識別情報を登録するステップと、
を有することを特徴とする、請求項８に記載の照明制御方法。
【請求項１０】
前記登録するステップは、
前記照明装置のいずれか一つを基準照明装置として登録するステップと、
前記基準照明装置を用いて、前記基準照明装置を除いた他の照明装置を周辺照明装置として登録するステップと、を含み、
前記周辺照明装置を登録するステップは、
前記基準照明装置が、走査指令を伝送するステップと、
前記基準照明装置が、前記照明装置の少なくとも他の一つから前記走査指令に対応する応答メッセージを受信するステップと、
前記基準照明装置が、前記応答メッセージの受信信号強度を測定するステップと、
前記基準照明装置が、前記受信信号強度を前記照明制御装置に伝送するステップと、
前記照明制御装置が、前記受信信号強度に応じて前記照明装置の少なくとも他の一つを前記周辺照明装置として登録するステップと、
を含むことを特徴とする、請求項８又は９に記載の照明制御方法。
【発明の詳細な説明】
【技術分野】
【０００１】
本発明は、照明制御方法及びシステムに関する。
【背景技術】
【０００２】
一般の照明制御は、電源スイッチと照明装置とが有線で１対１で接続されており、所望する照明のスイッチが分かると、照明装置を制御することができる。
【０００３】
一方、公開番号１０-２００８-００６７５５６に開示されているように、近年、無線方式に基づいて、照明装置の制御が行われる傾向にある。
【０００４】
一般に、無線で照明装置などの電源を制御するシステムにおいて、それぞれの照明装置などを制御するためには、伝送される照明装置などの制御信号に、それぞれの照明装置などを区別可能な固有の識別子を含んで伝送する。
【０００５】
一方、無線照明制御装置である無線送信器は、工場で出荷される時点で予め固有の識別子が付与されており、家庭に設置された照明装置などに、無線送信器の識別子を登録することによって、無線送信器は、１又はそれ以上の照明灯を制御することができる。
【発明の概要】
【発明が解決しようとする課題】
【０００６】
ところが、従来は、無線照明制御装置の使用者又は施工者（以下、「使用者」と呼ぶ）が、無線信号を用いて遠隔から識別子を設定する場合、目標の照明装置など及び周辺に位置した他の照明装置などでも、遠隔で伝送される無線信号を同時に受信して、複数の照明装置が同一の識別子に設定される現象が発生する。
【０００７】
特に、アパートなどのように、複数の家庭が隣接している状態では、設定しようとする家庭と、当該家庭の上下左右に位置した周辺家庭との距離が非常に近いため、ある家庭で無線送信器を用いて、目標の照明装置などに識別子を設定する場合、無線送信器の送出範囲内に含まれる他の照明装置なども共に登録設定モードに切り換えられるので、目標の照明装置の他にも、隣接した家庭に設置された照明装置などが共に制御されてしまう不都合があった。
【０００８】
本発明の目的は、照明制御装置が、照明装置を容易に登録して制御できるようにすることにある。
【課題を解決するための手段】
【０００９】
上記課題を解決するための本発明による照明システムは、照明装置と、照明装置と通信するための通信部、及び照明装置の受信信号強度に応じて、照明装置の少なくともいずれか一つを登録して制御するための制御部を含む照明制御装置と、を含むことを特徴とする。
【００１０】
そして、上記課題を解決するための本発明による照明制御方法は、照明制御装置と照明装置とが通信する手続と、照明装置の受信信号強度に応じて、照明制御装置が、照明装置の少なくともいずれか一つを制御するために登録する手続とを含むことを特徴とする。
【発明の効果】
【００１１】
本発明の照明制御方法及びシステムによると、照明制御装置において、照明装置を容易に登録して制御することができる。
【図面の簡単な説明】
【００１２】
【図１】本発明の実施形態による照明制御システムを示すブロック図である。
【図２】図１における照明制御装置を示すブロック図である。
【図３】図１における照明装置を示すブロック図である。
【図４】図１における中継装置を示すブロック図である。
【図５】本発明の第１実施形態による照明制御手続の第１例を示すシーケンス図である。
【図６】本発明の第１実施形態による照明制御手続の第２例を示すシーケンス図である。
【図７】本発明の第１実施形態による照明制御手続の第３例を示すシーケンス図である。
【図８】本発明の第１実施形態による照明制御手続の実行時に表示される画面を示す例示図である。
【図９】本発明の第１実施形態による照明制御手続の実行時に表示される画面を示す例示図である。
【図１０】本発明の第１実施形態による照明制御手続の実行時に表示される画面を示す例示図である。
【図１１】本発明の第１実施形態による照明制御手続の実行時に表示される画面を示す例示図である。
【図１２】本発明の第１実施形態による照明制御手続の実行時に表示される画面を示す例示図である。
【図１３】本発明の第１実施形態による照明制御装置の照明制御手続を示すフローチャートである。
【図１４】本発明の第２実施形態による照明制御手続を示すシーケンス図である。
【図１５】本発明の第２実施形態による照明制御手続において、第１の基準照明装置を登録する手続を説明するための例示図である。
【図１６】本発明の第２実施形態による照明制御手続において、第１の基準照明装置を登録する手続を示すフローチャートである。
【図１７】本発明の第２実施形態による照明制御手続において、周辺照明装置を走査する手続を説明するための例示図である。
【図１８】本発明の第２実施形態による照明制御手続において、周辺照明装置を走査する手続を示すフローチャートである。
【図１９】図１８における第１の基準照明装置の周辺検索信号のデータフォーマットを説明するための例示図である。
【図２０】図１８における周辺照明装置の応答メッセージのデータフォーマットを説明するための例示図である。
【図２１】本発明の第２実施形態による照明制御手続において、第２の基準照明装置を登録する手続を説明するための例示図である。
【図２２】本発明の第２実施形態による照明制御手続において、第２の基準照明装置を登録する手続を示すフローチャートである。
【図２３】本発明の第２実施形態による照明制御装置の照明制御手続を示すフローチャートである。
【発明を実施するための形態】
【００１３】
以下、添付の図面を参照して、本発明の実施形態をより詳しく説明する。ここで、添付の図面において、同一の構成要素は、できるだけ、同一の符号で示していることに留意されたい。そして、本発明の要旨を不明確にするような、公知機能及び構成に対する詳細な説明は、省略する。
【００１４】
図１は、本発明の実施形態による照明制御システムを示すブロック図である。
【００１５】
図１を参照すると、本実施形態の照明制御システムは、照明制御装置１０１と、複数の照明装置１１１とを含む。ここで、照明制御装置１０１と照明装置１１１とは、有線又は無線で通信する。ここで、照明制御装置１０１と照明装置１１１とは、直接、通信することができる。そして、それぞれの照明装置１１１は、固有の識別データを有し、照明制御装置１０１は、それぞれの識別データによって、照明装置１１１を識別することができる。これによって、照明制御装置１０１は、使用者の指令によって、照明装置１１１の少なくともいずれか一つを制御することができる。例えば、照明制御装置１０１は、無線スイッチ、リモコン、携帯電話機などを含む。また、照明装置１１１は、発光ダイオード（ＬＥＤ）、蛍光灯、白熱灯、ハロゲン灯を含む。
【００１６】
そして、本実施形態の照明制御システムは、更に、中央制御装置１０２、中継装置１０５、又は主装置１２１の少なくともいずれか一つを含むことができる。中央制御装置１０２は、照明制御システムを全般的に制御することができる。中継装置１０５は、照明制御装置１０１と照明装置１１１との通信を中継することができる。すなわち、照明制御装置１０１と照明装置１１１とは、中継装置１０５を介して通信することもできる。ここで、中継装置１０５は、照明制御装置１０１及び照明装置１１１と有線又は無線で通信することができる。主装置１２１は、照明制御装置１０１と別に、照明装置１１１を制御することができる。このような主装置１２１は、照明装置１１１と有線で接続することができ、照明装置１１１を、オン（ＯＮ）又はオフ（ＯＦＦ）するための電源スイッチ１２２を含むことができる。
【００１７】
また、本実施形態の照明制御システムは、様々な無線（ＲＦ）通信方式によって、動作可能である。例えば、無線通信方式は、Ｚｉｇｂｅｅ（登録商標）、ＷｉＦｉ、Ｂｌｕｅｔｏｏｔｈ（登録商標）などを含む。
【００１８】
図２は、本発明の実施形態による照明制御システムにおいて、照明制御装置を示すブロック図である。
【００１９】
図２を参照すると、本実施形態の照明制御装置１０１は、制御部２０２と、電源部２０３と、記憶部２０４と、通信部２０５と、入力部２０６と、表示部２０７とを含む。制御部２０２は、照明制御装置１０１において、全般的な動作を制御する。このような制御部２０２は、照明装置１１１の受信信号強度に応じて、照明装置１１１の少なくともいずれか一つを登録して制御する。このとき、制御部２０２は、登録モードで、照明装置１１１の少なくともいずれか一つを登録し、制御モードで、登録された照明装置１１１を制御することができる。電源部２０３は、照明制御装置１０１の動作電源を提供する。記憶部２０４は、照明制御装置１０１において、照明装置１１１の少なくともいずれか一つを登録して制御するためのプログラムを記憶している。そして、記憶部２０４は、照明装置１１１の少なくともいずれか一つの識別データを記憶することができる。通信部２０５は、制御部２０２の制御下で、照明制御装置１０１の通信機能を担う。ここで、通信部２０５は、照明装置１１１と通信することができる。入力部２０６は、使用者の指令を入力するために提供される。表示部２０７は、制御部２０２の制御下で、各種の表示画面を表示する。
【００２０】
図３は、本発明の実施形態による照明制御システムにおいて、照明装置を示すブロック図である。
【００２１】
図３を参照すると、本実施形態の照明装置１１１は、電源部２１３と、記憶部２１４と、通信部２１５と、出力部２１６と、制御部２１７とを含む。電源部２１３は、照明装置１１１の駆動電源を提供する。記憶部２１４は、照明装置１１１に固有な識別データを記憶している。通信部２１５は、制御部２１７の制御下で、照明装置１１１の通信機能を担う。ここで、通信部２１５は、照明制御装置１０１と通信することができる。出力部２１６は、制御部２１７の制御下で、光を出力する。また、出力部２１６は、所定の色の光を出力することができる。制御部２１７は、照明装置１１１の全般的な動作を制御する。一方、図示してはいないが、本実施形態の照明装置１１１は、制御部２１７の制御下で、音響信号を出力するための音響処理部を更に含むことができる。
【００２２】
図４は、本発明の実施形態による照明制御システムにおいて、中継装置を示すブロック図である。
【００２３】
図４を参照すると、本実施形態の中継装置１０５は、制御部２２６と、通信部２２７と、記憶部２２８と、電源部２２９とを含む。制御部２２６は、中継装置１０５の全般的な動作を制御する。このような制御部２２６は、照明制御装置１０１と照明装置１１１との通信を中継する。通信部２２７は、制御部２２６の制御下で、中継装置１０５の通信機能を担う。また、通信部２２７は、照明制御装置１０１及び照明装置１１１と通信することができる。記憶部２２８は、照明制御装置１０１と中継装置１０５との通信を中継するためのプログラムを記憶している。電源部２２９は、中継装置１０５の駆動電源を提供する。
【００２４】
本発明の第１実施形態によると、照明制御装置１０１は、登録モードを行って、照明装置１１１を登録する。また、照明制御装置１０１は、照明装置１１１に、照明制御装置１０１の登録を要求することができる。照明制御装置１０１から登録が要求されたとき、照明装置１１１が、照明制御装置１０１を登録することができる。また、照明制御装置１０１は、照明装置１１１を登録することができる。この後、照明制御装置１０１は、制御モードを行って、登録された照明装置１１１を制御する。また、照明制御装置１０１は、登録された照明装置１１１をオン又はオフするか、登録された照明装置１１１の調光（ｄｉｍｍｉｎｇ）を制御することができる。
【００２５】
図５は、本発明の第１実施形態による照明制御手続の第１例を示すシーケンス図である。本例によると、一つの照明制御装置１０１が、一つの照明装置１１１を登録して制御する。本例においては、照明制御装置１０１が、無線スイッチ３０１である場合を仮定して説明する。
【００２６】
図５を参照すると、本実施形態の照明制御手続によると、無線スイッチ３０１と照明装置３０２、３０３、３０４とが電源オン状態で（ステップ３１１）、無線スイッチ３０１が、登録モードを実行する（ステップ３１３）。このとき、無線スイッチ３０１に、照明装置３０２、３０３、３０４のいずれか一つが既に登録されていると、無線スイッチ３０１は、登録モードを実行しない。例えば、無線スイッチ３０１は、登録実行キーを含むことができ、登録実行キーの選択に対応して、登録モードに入ることができる。又は、無線スイッチ３０１は、電源オンを感知して、登録モードに入ることもできる。ここで、無線スイッチ３０１は、登録モードに入って、予め設定された時間、例えば、１秒間、登録モードを実行することができる。
【００２７】
具体的に、登録モードで、無線スイッチ３０１は、それぞれの照明装置３０２、３０３、３０４に登録要求信号を伝送して、登録モードが実行中であることを報知する（ステップ３１５）。無線スイッチ３０１から登録要求信号が受信されたとき、それぞれの照明装置３０２、３０３、３０４が、無線スイッチ３０１に、登録要求信号に対応する応答メッセージを伝送する（ステップ３１７）。このとき、応答メッセージは、照明装置３０２、３０３、３０４の識別データを含む。
【００２８】
ついで、照明装置３０２、３０３、３０４から応答メッセージが受信されたとき、無線スイッチ３０１は、応答メッセージの受信信号強度を比較する（ステップ３１９）。そして、無線スイッチ３０１は、応答メッセージの受信信号強度から、有効ないずれか一つを選択する（ステップ３２１）。このとき、無線スイッチ３０１は、受信信号強度から、最も高いいずれか一つを選択することができる。これに加えて、無線スイッチ３０１は、選択された受信信号強度を、予め記憶された受信信号強度と比較することができる。例えば、予め記憶された受信信号強度が−５ｄＢの場合、無線スイッチ３０１は、選択された受信信号強度が−５ｄＢ以上であるか否かを判断することができる。また、選択された受信信号強度が、予め記憶された受信信号強度以上であると、無線スイッチ３０１は、選択された受信信号強度を有効なものとして決定することができる。
【００２９】
ついで、無線スイッチ３０１は、有効な受信信号強度に対応する照明装置３０３に、無線スイッチ３０１の登録を要求する（ステップ３２３）。無線スイッチ３０１から登録が要求されたとき、照明装置３０３が、無線スイッチ３０１を登録する（ステップ３２５）。そして、照明装置３０３は、無線スイッチ３０１の登録を、無線スイッチ３０１に報知する（ステップ３２７）。また、照明装置３０３から無線スイッチ３０１の登録が確認されたとき、無線スイッチ３０１は、照明装置３０３を登録してから、登録モードを終了する（ステップ３２９）。
【００３０】
ついで、無線スイッチ３０１は、制御モードを実行する（ステップ３３１）。このとき、無線スイッチ３０１は、使用者指令によって、登録された照明装置３０３を制御することができる。
【００３１】
図６は、本発明の第１実施形態による照明制御手続の第２例を示すシーケンス図である。本例によると、一つの照明制御装置１０１が、複数の照明装置１１１を登録して制御する。そして、本例によると、複数の照明制御装置１０１が、同一の照明装置１１１を登録して制御することができる。本例においては、照明制御装置１０１が、リモコン４０１である場合を仮定して説明する。
【００３２】
図６を参照すると、本実施形態の照明制御手続によると、リモコン４０１と照明装置３０２、３０３、３０４とが、電源オン状態で（ステップ４１１）、リモコン４０１が登録モードを実行する（ステップ４１３）。このとき、リモコン４０１に照明装置３０２、３０３、３０４のいずれか一つが既に登録されていても、リモコン４０１は、登録モードを実行する。例えば、リモコン４０１は、登録実行キーを含むことができ、登録実行キーの選択に対応して、登録モードに入ることができる。又は、リモコン４０１は、電源オンを感知して、登録モードに入ることもできる。ここで、リモコン４０１は、登録モードに入って、予め設定された時間、例えば、１秒間、登録モードを実行することができる。
【００３３】
具体的には、登録モードで、リモコン４０１は、それぞれの照明装置３０２、３０３、３０４に、登録要求信号を伝送して、登録モードが実行中であることを報知する（ステップ４１５）。リモコン４０１から登録要求信号が受信されたとき、それぞれの照明装置３０２、３０３、３０４は、リモコン４０１が既に登録されているか否かを判断する（ステップ４１７）。そして、照明装置３０２、３０３、３０４に、リモコン４０１が未だ登録されていないときは、照明装置３０２、３０３、３０４が、リモコン４０１に、登録要求信号に対応する応答メッセージを送る（ステップ４１９）。このとき、応答メッセージは、照明装置３０２、３０３、３０４の識別データを含む。
【００３４】
ついで、照明装置３０２、３０３、３０４から応答メッセージが受信されたとき、リモコン４０１は、応答メッセージの受信信号強度を比較する（ステップ４２１）。そして、リモコン４０１は、応答メッセージの受信信号強度のうち、有効ないずれか一つを選択する。このとき、リモコン４０１は、受信信号強度が最も高い、いずれか一つを選択することができる。また、リモコン４０１は、選択された受信信号強度を、予め記憶された受信信号強度と比較することができる。例えば、予め記憶された受信信号強度が−５ｄＢである場合、リモコン４０１は、選択された受信信号強度が、−５ｄＢ以上であるか否かを判断することができる。更に、選択された受信信号強度が、予め記憶された受信信号強度以上であると、リモコン４０１は、選択された受信信号強度を有効なものとして決定することができる。この後、リモコン４０１は、有効な受信信号強度に対応する照明装置３０３が既に登録されているか否かを判断する（ステップ４２５）。
【００３５】
ついで、有効な受信信号強度に対応する照明装置３０３が登録されていないときは、リモコン４０１は、照明装置３０３に、リモコン４０１の登録を要求する（ステップ４２７）。リモコン４０１から登録が要求されたとき、照明装置３０３が、リモコン４０１を登録する（ステップ４２９）。このとき、照明装置３０３は、明滅動作を実行することができる。そして、照明装置３０３は、リモコン４０１の登録を、リモコン４０１に報知する（ステップ４３１）。また、照明装置３０３からリモコン４０１の登録が確認されたとき、リモコン４０１は、照明装置３０３を登録してから、登録モードを終了する（ステップ４３３）。
【００３６】
ついで、リモコン４０１は、制御モードを実行する（ステップ４３５）。このとき、リモコン４０１は、使用者指令によって、登録された照明装置３０３を制御することができる。
【００３７】
図７は、本発明の第１実施形態による照明制御手続の第３例を示すシーケンス図である。本例によると、一つの照明制御装置１０１が、複数の照明装置１１１を登録して制御する。そして、本例によると、複数の照明制御装置１０１が、同一の照明装置１１１を登録して制御することができる。本例においては、照明制御装置１０１が、携帯電話機５０１である場合を仮定して説明する。
【００３８】
図７を参照すると、本実施形態の照明制御手続によると、携帯電話機５０１と、照明装置３０２、３０３、３０４とが電源オン状態で（ステップ５１１）、携帯電話機５０１が登録モードを実行する（ステップ５１３）。このとき、携帯電話機５０１に、照明装置３０２、３０３、３０４のいずれか一つが既に登録されていても、携帯電話機５０１は、登録モードを実行する。例えば、携帯電話機５０１は、登録実行キーを含むことができ、登録実行キーの選択に対応して、登録モードに入ることができる。又は、携帯電話機５０１は、電源オンを感知して、登録モードに入ることもできる。ここで、携帯電話機５０１は、登録モードに入って、予め設定された時間、例えば、１秒間、登録モードを実行することができる。
【００３９】
具体的には、登録モードで、携帯電話機５０１は、それぞれの照明装置３０２、３０３、３０４に登録要求信号を伝送して、登録モードが実行中であることを報知する（ステップ５１５）。携帯電話機５０１から登録要求信号が受信されたとき、それぞれの照明装置３０２、３０３、３０４は、携帯電話機５０１が既に登録されているか否かを判断する（ステップ５１７）。そして、照明装置３０２、３０３、３０４に携帯電話機５０１が未だ登録されていないときは、照明装置３０２、３０３、３０４が、携帯電話機５０１に登録要求信号に対応する応答メッセージを送る（ステップ５１９）。このとき、応答メッセージは、照明装置３０２、３０３、３０４の識別データを含む。
【００４０】
ついで、照明装置３０２、３０３、３０４から応答メッセージが受信されたとき、携帯電話機５０１は、応答メッセージの受信信号強度を比較する（ステップ５２１）。そして、携帯電話機５０１は、応答メッセージの受信信号強度から有効な少なくともいずれか一つを選択する（ステップ５２３）。このとき、携帯電話機５０１は、受信信号強度を、予め記憶された受信信号強度と比較することができる。例えば、予め記憶された受信信号強度が−５ｄＢの場合、携帯電話機５０１は、受信信号強度の少なくともいずれか一つが、−５ｄＢ以上であるか否かを判断することができる。また、受信信号強度の少なくともいずれか一つが、予め記憶された受信信号強度以上であるとき、携帯電話機５０１は、該当受信信号強度が有効なものとして決定することができる。この後、携帯電話機５０１は、有効な受信信号強度に対応する照明装置３０３が、既に登録されているか否かを判断する（ステップ５２５）。
【００４１】
ついで、有効な受信信号強度に対応する照明装置３０２、３０３が登録されていないと、携帯電話機５０１は、照明装置３０２、３０３を表示する（ステップ５２７）。このとき、複数の照明装置３０２、３０３が存在する場合、携帯電話機５０１は、所定の個数で照明装置３０２、３０３を表示する。そして、携帯電話機５０１は、照明装置３０２、３０３の少なくともいずれか一つを選択する（ステップ５２９）。そして、携帯電話機５０１は、選択された照明装置３０２、３０３に、携帯電話機５０１の登録を要求する（ステップ５３１）。携帯電話機５０１から登録が要求されたとき、選択された照明装置３０２、３０３が携帯電話機５０１を登録する（ステップ５３３）。このとき、選択された照明装置３０３は、明滅動作を実行することができる。また、照明装置３０２、３０３は、携帯電話機５０１の登録を、リモコン４０１に報知する（ステップ５３５）。更に、照明装置３０２、３０３から携帯電話機５０１の登録が確認されたとき、携帯電話機５０１は、選択された照明装置３０２、３０３を登録してから、登録モードを終了する（ステップ５３７）。
【００４２】
ついで、携帯電話機５０１は、制御モードを実行する（ステップ５３９）。このとき、携帯電話機５０１は、使用者指令によって、登録された照明装置３０２、３０３を制御することができる。
【００４３】
一方、図示してはいないが、照明制御装置１０１は、制御モードの実行前又は後に、登録された照明装置１１１を削除することができる。このとき、照明制御装置１０１は、登録された照明装置１１１に、照明制御装置１０１の削除を要求することができる。このため、照明制御装置１０１は、登録削除キーを含むことができる。そして、登録削除キーが選択されたとき、照明制御装置１０１は、登録された照明装置１１１に、照明制御装置１０１の削除を要求することができる。照明制御装置１０１から削除が要求されたとき、登録された照明装置１１１が、照明制御装置１０１を削除することができる。また、照明制御装置１０１は、登録された照明装置１１１を削除することができる。
【００４４】
図８乃至図１２は、本発明の第１実施形態による照明制御手続の実行時に表示される画面を示す例示図である。本実施形態では、照明制御装置１０１が携帯電話機である場合を仮定して説明する。
【００４５】
図８乃至図１２を参照すると、照明制御装置１０１は、住宅１１３内で登録モードを実行して、居間１１５又は寝室１１７の照明装置１１１を登録することができる。例えば、照明制御装置１０１は、居間で登録モードを実行することができる。
【００４６】
このとき、登録モードで、照明制御装置１０１は、図８に示しているように、表示画面６０１を表示する。表示画面６０１は、登録要求キー６０３と、入力窓６０５とを含む。そして、登録要求キー６０３が選択されたとき、照明制御装置１０１が、図８の（ａ）に示しているように、照明装置１１１に登録要求信号を伝送する。例えば、登録要求キー６０３が所定の時間、例えば、３秒間、選択されたとき、照明制御装置１０１が、照明装置１１１に、登録要求信号を伝送することができる。このとき、照明装置１１１が点灯した状態で、照明制御装置１０１が登録要求信号を伝送することができる。また、照明制御装置１０１から登録要求信号が受信されたとき、照明装置１１１は、明滅動作を行って、照明制御装置１０１において、登録要求キー６０３が、図８の（ｂ）に示しているように、黄色で点滅動作を実行する。この後、照明装置１１１は、オフとなり、照明制御装置１０１において、登録要求キー６０３が、図８の（ｃ）に示しているように、青色に変わることができる。
【００４７】
この後、照明装置１１１の登録が決定されたとき、照明制御装置１０１は、図９に示しているように、入力窓６０５に、照明装置１１１の識別情報を入力する。ここで、入力窓６０５が選択されたとき、照明制御装置１０１は、図９の（ａ）に示しているように、表示画面６０１に、入力窓６０５と共に、文字キーパッド６０６を更に表示する。そして、文字キーパッド６０６で文字が選択されることによって、照明制御装置１０１は、図９の（ｂ）に示しているように、入力窓６０５に、照明装置１１１の識別情報を入力する。例えば、照明制御装置１０１は、入力窓６０５に、照明装置１１１の識別情報として、「居間」を入力することができる。また、照明装置１１１の識別情報入力が完了すると、照明制御装置１０１は、図９の（ｃ）に示しているように、表示画面６０１から文字キーパッド６０６を除去する。
【００４８】
これによって、照明制御装置１０１は、住宅１１３内で制御モードを行って、居間又は寝室１１７の照明装置１１１を制御することができる。例えば、照明制御装置１０１は、居間で制御モードを実行することができる。
【００４９】
このとき、制御モードにおいて、照明制御装置１０１が、図１０に示しているように、表示画面６１１を表示する。表示画面６１１は、オン／オフスイッチ６１３と、制御手段６１５とを含む。オン／オフスイッチ６１３は、照明装置１１１をオン又はオフするためのものであり、制御手段６１５は、照明装置１１１の調光を制御するためのものである。すなわち、オン／オフスイッチ６１３が選択されたとき、照明制御装置１０１は、図１０の（а）に示している容易、照明装置１１１をオンするか、図１０の（ｂ）に示しているように、照明装置１１１をオフする。そして、制御手段６１５が調節されたとき、照明制御装置１０１は、制御手段６１５の調節値を把握して、調節値に対応する分だけ、照明装置１１１の調光を制御する。
【００５０】
一方、登録モードにおいて、居間の照明装置１１１を登録した後、照明制御装置１０１は、寝室１１７の照明装置１１１を更に登録することができる。このため、登録モードにおいて、照明制御装置１０１は、図１１に示しているように、現在の表示画面６０１から新たな表示画面６０１に切り換えて表示する。例えば、現在の表示画面６０１において、図１１の（а）に示しているように、所定の時間の間、タッチが感知されるか、図１１の（ｂ）に示しているように、ドラッグが感知されたとき、照明制御装置１０１は、図１１の（ｃ）に示しているように、新たな表示画面６０１を表示することができる。この後、照明制御装置１０１は、表示画面６０１を用いて、寝室１１７の照明装置１１１を登録することができる。
【００５１】
更に、前記の手続を繰り返して、照明制御装置１０１は、図１２に示しているように、複数の照明装置１１１を登録することができる。すなわち、照明制御装置１０１は、図１２の（а）、（ｂ）及び（ｃ）に示しているように、照明装置１１１を個別に登録することができる。このとき、照明制御装置１０１は、図１２の（ｄ）及び（ｅ）に示しているように、照明装置１１１をグループ分けして登録することができる。例えば、照明制御装置１０１が、照明装置１１１を個別に登録すると共に、照明装置１１１を自動的にグループ分けすることができる。又は、照明制御装置１０１が、照明装置１１１を個別に登録した後、照明装置１１１に対応する表示画面６０１を介して、照明装置１１１の少なくともいずれか一つを選択してグループ分けすることもできる。これによって、照明制御装置１０１は、照明装置１１１を、少なくとも一つのグループ、例えば、グループ１、グループ２にグループ分けすることができる。
【００５２】
図１３は、本発明の第１実施形態による照明制御装置の照明制御手続を示すフローチャートである。
【００５３】
図１３を参照すると、本実施形態において、照明制御装置１０１の照明制御手続は、照明制御装置１０１の制御部２０２が、ステップ７１１において、登録モードを感知することから開始される。例えば、照明制御装置１０１は、登録実行キーを含むことができ、制御部２０２は、登録実行キーの選択に対応して、登録モードに入ることができる。又は、制御部２０２は、照明制御装置１０１の電源オンを感知して、登録モードに入ることができる。そして、登録モードが感知されたとき、制御部２０２は、ステップ７１３において、照明装置１１１に登録要求信号を伝送して、登録モードが実行中であることを報知する。この後、制御部２０２は、ステップ７１５において、登録要求信号に対応して、照明装置１１１から応答メッセージを受信する。このとき、応答メッセージは、照明装置１１１の識別データを含む。また、制御部２０２は、ステップ７１７において、応答メッセージの受信信号強度を把握する。
【００５４】
ついで、制御部２０２は、ステップ７１９において、応答メッセージの受信信号強度に応じて、照明装置１１１の登録可否を決定する。このとき、制御部２０２は、応答メッセージの受信信号強度を、予め記憶された受信信号強度と比較することができる。そして、応答メッセージの受信信号強度が、予め記憶された受信信号強度以上であると、制御部２０２は、照明装置１１１を登録すると決定することができる。又は、制御部２０２は、応答メッセージの受信信号強度を、他の照明装置１１１から受信された応答メッセージの受信信号強度と比較することができる。また、応答メッセージの受信信号強度が、他の照明装置１１１から受信された応答メッセージの受信信号強度以上であると、制御部２０２は、照明装置１１１を登録すると決定することもできる。
【００５５】
ついで、ステップ７１９において、照明装置１１１を登録すると決定されたとき、制御部２０２は、ステップ７２１において、照明装置１１１を登録する。このとき、制御部２０２は、照明装置１１１に、照明制御装置１０１の登録を要求することができる。この後、照明装置１１１から照明制御装置１０１の登録が確認されたとき、制御部２０２が、照明装置１１１を登録することができる。そして、制御部２０２は、登録モードを終了することができる。
【００５６】
最後に、ステップ７２３において、制御モードが感知されたとき、制御部２０２は、ステップ７２５において、照明装置１１１を制御する。このとき、制御部２０２は、登録された照明装置１１１にオン又はオフするか、登録された照明装置１１１の調光を制御することができる。
【００５７】
一方、本発明の第２の実施形態によると、照明制御装置１０１は、登録モードを行って、照明装置１１１のいずれか一つを基準照明装置１１１として登録する。そして、照明制御装置１０１は、登録モードで基準照明装置１１１を制御して、他の照明装置１１１の少なくともいずれか一つを追加して登録することができる。この後、照明制御装置１０１は、制御モードを行って、登録された照明装置１１１を制御する。このとき、照明制御装置１０１は、登録された照明装置１１１をオン又はオフするか、登録された照明装置１１１の調光を制御することができる。
【００５８】
図１４は、本発明の第２の実施形態による照明制御手続を示すシーケンス図である。
【００５９】
図１４を参照すると、本実施形態の照明制御手続によると、照明制御装置１０１と照明装置３０１、３０２、３０３、３０４、３０５、３０６、３０７とが電源オン状態で、照明制御装置１０１の制御下で、基準照明装置８０１が登録モードを実行する。このとき、照明制御装置１０１において、照明装置３０１、３０２、３０３、３０４、３０５、３０６、３０７のいずれか一つが基準照明装置８０１として予め登録されている。
【００６０】
具体的には、照明制御装置１０１の走査指令によって（ステップ８１１）、基準照明装置８０１は、周辺検索信号を報知（ｂｒｏａｄｃａｓｔ）する（ステップ８１３）。このとき、走査指令は、照明制御装置１０１から基準照明装置８０１に直接、伝送することができる。又は、走査指令は、中継装置１０５を経由して、照明制御装置１０１から基準照明装置８０１に伝送することができる。そして、基準照明装置８０１は、走査指令に対応して、周辺検索信号を伝送する。また、周辺照明装置３０２、３０３、３０４、３０５、３０６が、周辺検索信号を受信する。ここで、周辺照明装置３０２、３０３、３０４、３０５、３０６は、他の照明装置３０２、３０３、３０４、３０５、３０６、３０７から、基準照明装置８０１に隣接した少なくともいずれか一つを示す。この後、周辺照明装置３０２、３０３、３０４、３０５３０６は、基準照明装置８０１に、周辺検索信号に対応する応答メッセージを送る（ステップ８１５）。このとき、応答メッセージは、周辺照明装置３０２、３０３、３０４、３０５、３０６の識別データを含む。
【００６１】
ついで、周辺照明装置３０２、３０３、３０４、３０５、３０６から応答メッセージが受信されたとき、基準照明装置８０１は、応答メッセージの受信信号強度を比較する（ステップ８１７）。そして、比較結果によって、基準照明装置８０１は、周辺照明装置３０２、３０３、３０４、３０５、３０６の少なくともいずれか一つを登録する（ステップ８１９）。
【００６２】
図１５は、本発明の第２の実施形態による照明制御手続において、第１の基準照明装置を登録する手続を説明するための例示図である。そして、図１６は、本発明の第２の実施形態による照明制御手続において、第１の基準照明装置を登録する手続を示すフローチャートである。
【００６３】
図１５及び図１６を参照すると、照明制御装置１０１は、登録モードで、第１の基準照明装置１１１аを登録する。このとき、登録モードで、照明制御装置１０１は、第１の表示画面９０１を表示する。第１の表示画面９０１は、登録要求キー９０３と、入力窓９０５と、位置表示窓９０７とを含む。
【００６４】
具体的に、登録モードで、照明制御装置１０１は、ステップ９１１において、照明装置１１１のいずれか一つを、第１の基準照明装置１１１аとして選択する。又は、照明制御装置１０１の使用者は、照明装置１１１のうち、所望するいずれか一つの識別データを確認し（１）、識別データを照明制御装置１０１に入力することができる（２）。そして、識別データが入力されたとき、照明制御装置１０１は、ステップ９１３において、入力窓９０５に識別データを表示する。また、照明制御装置１０１は、位置表示窓９０７に、第１の基準照明装置１１１аを表示することができる。
【００６５】
ついで、登録要求キー９０３が選択されたとき、照明制御装置１０１は、ステップ９１５において、第１の基準照明装置１１１аに登録要求信号を伝送する（３、４）。このとき、照明制御装置１０１は、第１の基準照明装置１１１аの識別データを用いて、登録要求信号を伝送する。そして、照明制御装置１０１は、第１の基準照明装置１１１аに直接、登録要求信号を伝送することができる。又は、照明制御装置１０１は、中継装置１０５に登録要求信号を伝送し（３）、中継装置１０５が、第１の基準照明装置１１１аに登録要求信号を伝送することもできる（４）。
【００６６】
ついで、照明制御装置１０１から登録要求信号が受信されたとき、第１の基準照明装置１１１аは、ステップ９１７において、照明制御装置１０１に、登録要求信号に対応する応答メッセージを伝送する（５）。このとき、第１の基準照明装置１１１аは、応答メッセージの送信前又は後に、明滅動作を実行することができる。そして、第１の基準照明装置１１１аは、照明制御装置１０１に直接、応答メッセージを伝送することができる。又は、第１の照明装置１１１аは、中継装置１０５に応答メッセージを伝送し、中継装置１０５が、照明制御装置１０１に応答メッセージを伝送することもできる。また、第１の基準照明装置１１１аから応答メッセージが受信されたとき、照明制御装置１０１は、ステップ９１９において、第１の基準照明装置１１１аを登録する。
【００６７】
一方、本実施形態において、照明制御装置１０１が、使用者の指令によって、照明装置１１１のいずれか一つを、第１の基準照明装置１１１аとして選択して登録する例を挙げているが、ここに限定するものではない。すなわち、照明制御装置１０１は、前述した実施形態によって、第１の基準照明装置１１１аを選択して登録することもできる。具体的に、登録要求キー９０３が選択されたとき、照明制御装置１０１は、照明装置１１１に登録要求信号を伝送することができる。この後、照明装置１１１から受信される応答メッセージの受信信号強度に応じて、照明制御装置１０１は、照明装置１１１のいずれか一つを、第１の基準照明装置１１１аとして選択して登録することができる。
【００６８】
図１７は、本発明の第２の実施形態による照明制御手続において、周辺照明装置を走査する手続を説明するための例示図である。そして、図１８は、本発明の第２の実施形態による照明制御手続において、周辺照明装置を走査する手続を示すフローチャートである。また、図１９は、図１８で第１の基準照明装置の周辺検索信号のデータフォーマットを説明するための例示図であり、図２０は、図１８で周辺照明装置の応答メッセージのデータフォーマットを説明するための例示図である。
【００６９】
図１７及び図１８を参照すると、照明制御装置１０１は、登録モードで、周辺照明装置１１１ｂ、１１１ｃ、１１１ｄ、１１１ｅ、１１１ｆ、１１１ｇ、１１１ｈ、１１１ｉを走査する。このとき、照明制御装置１０１は、第１の基準照明装置１１１аを用いて、周辺照明装置１１１ｂ、１１１ｃ、１１１ｄ、１１１ｅ、１１１ｆ、１１１ｇ、１１１ｈ、１１１ｉを走査する。
【００７０】
具体的に、登録モードで、照明制御装置１０１は、ステップ９２１において、走査機能を実行する（１）。そして、照明制御装置１０１は、ステップ９２３において、第１の基準照明装置１１１аに走査指令を伝送する（２、３）。このとき、照明制御装置１０１は、第１の基準照明装置１１１аに直接、走査指令を伝送することができる。又は、照明制御装置１０１は、中継装置１０５に走査指令を伝送し（２）、中継装置１０５が、第１の基準照明装置１１１аに走査指令を伝送することもできる（３）。
【００７１】
ついで、走査指令が受信されたとき、第１の基準照明装置１１１аは、ステップ９２５において、周辺検索信号を報知する（４）。このとき、周辺検索信号は、図１９に示されているようなデータフォーマットを有することができる。すなわち、周辺検索信号は、パケット長、送信先アドレス、送信元アドレス、指令、及びペイロードをそれぞれ示すフィールドを有することができる。ここで、送信先アドレスは、周辺照明装置１１１ｂ、１１１ｃ、１１１ｄ、１１１ｅ、１１１ｆ、１１１ｇ、１１１ｈ、１１１ｉの識別データであり、送信元アドレスは、第１の基準照明装置１１１аの識別データであり、指令は、周辺検索信号の受信信号強度を要求する指令であってよい。
【００７２】
ついで、周辺検索信号が受信されたとき、周辺照明装置１１１ｂ、１１１ｃ、１１１ｄ、１１１ｅ、１１１ｆ、１１１ｇ、１１１ｈ、１１１ｉが、ステップ９２７において、第１の基準照明装置１１１аに、周辺検索信号に対応する応答メッセージを伝送する（５）。このとき、周辺照明装置１１１ｂ、１１１ｃ、１１１ｄ、１１１ｅ、１１１ｆ、１１１ｇ、１１１ｈ、１１１ｉは、周辺検索信号の受信信号強度を測定することができ、応答メッセージは、周辺検索信号の受信信号強度を含むことができる。そして、応答メッセージは、図２０に示されているようなデータフォーマットを有することができる。すなわち、応答メッセージは、パケット長、送信先アドレス、送信元アドレス、指令、及びペイロードをそれぞれ示すフィールドを有することができる。ここで、送信先アドレスは、第１の基準照明装置１１１аの識別データであり、送信元アドレスは、周辺照明装置１１１ｂ、１１１ｃ、１１１ｄ、１１１ｅ、１１１ｆ、１１１ｇ、１１１ｈ、１１１ｉの識別データであり、指令は、周辺検索信号の受信信号強度を含むか否かを示すことができ、ペイロードは、周辺検索信号の受信信号強度を示すことができる。
【００７３】
図２１は、本発明の第２の実施形態による照明制御手続において、第２の基準照明装置を登録する手続を説明するための例示図である。そして、図２２は、本発明の第２の実施形態による照明制御手続において、第２の基準照明装置を登録する手続を示すフローチャートである。
【００７４】
図２１及び図２２を参照すると、照明制御装置１０１は、登録モードで、周辺照明装置１１１ｂ、１１１ｃ、１１１ｄ、１１１ｅ、１１１ｆ、１１１ｇ、１１１ｈ、１１１ｉのいずれか一つを、第２の基準照明装置１１１ｇとして登録する。このとき、登録モードで、照明制御装置１０１は、第２の表示画面９０２を表示する。第２の表示画面９０２は、照明装置１１１а、１１１ｂ、１１１ｃ、１１１ｄ、１１１ｅ、１１１ｆ、１１１ｇ、１１１ｈ、１１１ｉのリスト９０９、及び位置表示窓９０７を表示する。
【００７５】
具体的に、登録モードで、照明制御装置１０１は、ステップ９３１において、第１の基準照明装置１０１аから周辺照明装置１１１ｂ、１１１ｃ、１１１ｄ、１１１ｅ、１１１ｆ、１１１ｇ、１１１ｈ、１１１ｉのリストを受信する（１）。すなわち，周辺照明装置１１１ｂ、１１１ｃ、１１１ｄ、１１１ｅ、１１１ｆ、１１１ｇ、１１１ｈ、１１１ｉから、周辺検索信号に対応する応答メッセージが受信されたとき、第１の基準照明装置１１１аは、照明制御装置１０１に、周辺照明装置１１１ｂ、１１１ｃ、１１１ｄ、１１１ｅ、１１１ｆ、１１１ｇ、１１１ｈ、１１１ｉのリストを伝送する。このとき、応答メッセージが、周辺検索信号の受信信号強度を含むとき、第１の基準照明装置１１１аは、照明制御装置１０１に、周辺検索信号の受信信号強度を伝送することができる。又は、応答メッセージが、周辺検索信号の受信信号強度を含まないときは、第１の基準照明装置１１１аは、応答メッセージの受信信号強度を測定して、照明制御装置１０１に伝送することができる。
【００７６】
ついで、照明制御装置１０１は、ステップ９３３において、照明装置１１１a、１１１ｂ、１１１ｃ、１１１ｄ、１１１ｅ、１１１ｆ、１１１ｇ、１１１ｈ、１１１ｉのリスト９０９を表示する（２）。このとき、照明制御装置１０１は、第１の基準照明装置１１１аと、周辺照明装置１１１ｂ、１１１ｃ、１１１ｄ、１１１ｅ、１１１ｆ、１１１ｇ、１１１ｈ、１１１ｉとのそれぞれに対応して、選択可否、識別データ、受信信号強度、及び登録可否を表示することができる。
【００７７】
ついで、照明制御装置１０１は、ステップ９３５において、周辺照明装置１１１ｂ、１１１ｃ、１１１ｄ、１１１ｅ、１１１ｆ、１１１ｇ、１１１ｈ、１１１ｉのいずれか一つを、第２の基準照明装置１１１ｇとして選択する（３）。このとき、照明制御装置１０１は、周辺照明装置１１１ｂ、１１１ｃ、１１１ｄ、１１１ｅ、１１１ｆ、１１１ｇ、１１１ｈ、１１１ｉを比較して、第２の基準照明装置１１１ｇを選択することができる。又は、照明制御装置１０１の使用者が、リスト９０９を確認して選択することによって、照明制御装置１０１が、第２の基準照明装置１１１ｇを選択することもできる。そして、照明制御装置１０１は、位置表示窓９０７に、第２の基準照明装置１１１ｇを表示することができる。この後、照明制御装置１０１は、ステップ９３７において、第２の基準照明装置１１１ｇに、登録要求信号を伝送する（４）。このとき、照明制御装置１０１は、第２の基準照明装置１１１ｇの識別データを用いて、登録要求信号を伝送する。また、照明制御装置１０１は、第２の基準照明装置１１１ｇに、直接、登録要求信号を伝送することができる。又は、照明制御装置１０１は、中継装置１０５に登録要求信号を伝送し、中継装置１０５が、第１の基準照明装置１１１аに登録要求信号を伝送することもできる。
【００７８】
ついで、照明制御装置１０１から登録要求信号が受信されたとき、第２の基準照明装置１１１ｇは、ステップ９３９において、照明制御装置１０１に、登録要求信号に対応する応答メッセージを送る（５）。このとき、第２の基準照明装置１１１ｇは、応答メッセージの送信前又は後に、明滅動作を実行することができる。そして、第２の基準照明装置１１１ｇは、照明制御装置１０１に直接、応答メッセージを送ることができる。又は、第２の基準照明装置１１１ｇは、中継装置１０５に応答メッセージを伝送し、中継装置１０５が、照明制御装置１０１に応答メッセージを送ることもできる。また、第２の基準照明装置１１１ｇから応答メッセージが受信されたとき、照明制御装置１０１は、ステップ９４１において、第２の基準照明装置１１１ｇを登録する。
【００７９】
図２３は、本発明の第２実施形態による照明制御装置の照明制御手続を示すフローチャートである。
【００８０】
図２３を参照すると、本実施形態で照明制御装置１０１の照明制御手続は、照明制御装置１０１の制御部２０２が、ステップ９５１において、登録モードを感知することから開始される。例えば、照明制御装置１０１は、登録実行キーを含むことができ、制御部２０２は、登録実行キーの選択に対応して、登録モードに入ることができる。又は、制御部２０２は、照明制御装置１０１の電源オンを感知して、登録モードに入ることができる。そして、登録モードが感知されたとき、制御部２０２は、ステップ９５３において、第１の基準照明装置１１１аを登録する。
【００８１】
ついで、制御部２０２は、ステップ９５５において、周辺照明装置１１１ｂ、１１１ｃ、１１１ｄ、１１１ｅ、１１１ｆ、１１１ｇ、１１１ｈ、１１１ｉを把握する。このとき、制御部２０２は、第１の基準照明装置１１１аを制御して、周辺照明装置１１１ｂ、１１１ｃ、１１１ｄ、１１１ｅ、１１１ｆ、１１１ｇ、１１１ｈ、１１１ｉを把握する。そして、制御部２０２は、ステップ９５７において、第２の基準照明装置１１１ｇを登録する。このとき、制御部２０２は、周辺照明装置１１１ｂ、１１１ｃ、１１１ｄ、１１１ｅ、１１１ｆ、１１１ｇ、１１１ｈ、１１１ｉのいずれか一つを選択して、第２の基準照明装置１１１ｇとして登録する。
【００８２】
ついで、制御部２０２は、ステップＳ９５９において、登録モードを進行し続けるか否かを判断する。このとき、ステップ９５９において、登録モードを続けて進行しなければならないと判断されたとき、制御部２０２は、ステップ９５５〜ステップ９５９を繰り返して、他の第２の基準照明装置を追加する。一方、ステップ９５９において、登録モードを進行しなくてもよいと判断されたとき、制御部２０２は、登録モードを終了する。
【００８３】
最後に、ステップ９６１において、制御モードが感知されたとき、制御部２０２は、ステップ９６３において、登録された基準照明装置１１１а、１１１ｇを制御する。このとき、制御部２０２は、基準照明装置１１１а、１１１ｇを個別に又は一括して制御することができる。すなわち、制御部２０２は、基準照明装置１１１а、１１１ｇをオン／オフするか、基準照明装置１１１а、１１１ｇの調光を制御することができる。
【００８４】
一方、本明細書及び図面に示している本発明の実施形態は、本発明の技術内容を容易に説明し、本発明の理解を助けるために、特定の例を提示したに過ぎず、本発明の範囲を限定しようとするものではない。すなわち、本発明の技術的思想に基づいた他の変形例が実施可能であるということは、本発明が属する技術の分野における通常の知識を有する者にとって、自明であろう。
【符号の説明】
【００８５】
１０１    照明制御装置
１０２    中央制御装置
１０５    中継装置
１１１    照明装置
１２１    主装置
１２２    電源スイッチ
２０２，２１７，２２６    制御部
２０３，２１３，２２９    電源部
２０４，２１４，２２８    記憶部
２０５，２１５，２２７    通信部
２０６    入力部
２０７    表示部
２１６    出力部
３０１    無線スイッチ
３０２，３０３，３０４    照明
４０１    リモコン
５０１    携帯電話機
１１３    住宅
１１５    居間
１１７    寝室
【図１】
2015097211.tif 000003
【図２】
2015097211.tif 000004
【図３】
2015097211.tif 000005
【図４】
2015097211.tif 000006
【図５】
2015097211.tif 000007
【図６】
2015097211.tif 000008
【図７】
2015097211.tif 000009
【図８】
2015097211.tif 000010
【図９】
2015097211.tif 000011
【図１０】
2015097211.tif 000012
【図１１】
2015097211.tif 000013
【図１２】
2015097211.tif 000014
【図１３】
2015097211.tif 000015
【図１４】
2015097211.tif 000016
【図１５】
2015097211.tif 000017
【図１６】
2015097211.tif 000018
【図１７】
2015097211.tif 000019
【図１８】
2015097211.tif 000020
【図１９】
2015097211.tif 000021
【図２０】
2015097211.tif 000022
【図２１】
2015097211.tif 000023
【図２２】
2015097211.tif 000024
【図２３】
2015097211.tif 000025
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
照明装置と、
前記照明装置に登録要求信号を伝送し、前記照明装置から伝送される前記登録要求信号に対応する応答メッセージを受信し、前記受信された応答メッセージに基づいて、前記照明装置を登録する照明制御装置と、を備え、
前記応答メッセージには、前記照明装置を識別するための固有識別データが含まれ、
前記照明制御装置は、前記固有識別データを記憶して前記照明装置を登録し、前記記憶された識別データに基づいて、前記登録された照明装置を制御する、照明制御システム。
【請求項２】
前記照明装置は、複数から構成され、
前記照明制御装置は、前記複数の照明装置に前記登録要求信号をそれぞれ伝送し、前記複数の照明装置からそれぞれ伝送される応答メッセージをそれぞれ受信することを特徴とする、請求項１に記載の照明制御システム。
【請求項３】
前記照明制御装置は、
前記登録要求信号を伝送し、前記応答メッセージを受信する通信部と、
前記応答メッセージ内に含まれた識別データを記憶して前記照明装置を登録し、前記記憶された識別データに基づいて、前記登録された照明装置と他の照明装置とを区別して、前記登録された照明装置に制御信号を伝送する制御部と、
を備えることを特徴とする、請求項１又は２に記載の照明制御システム。
【請求項４】
前記制御部は、前記受信した応答メッセージの受信信号強度を確認し、前記確認された受信信号強度が予め記憶された受信信号強度を超える場合、該照明装置を登録することを特徴とする、請求項３に記載の照明制御システム。
【請求項５】
前記照明制御装置は、前記制御部の制御下で、登録要求キー及び入力窓を含む表示画面を表示するための表示部を、更に備え、
前記制御部は、
前記登録要求キーが選択されたとき、前記照明装置に前記登録要求信号を伝送し、
前記入力窓に前記照明装置の識別情報が入力されたとき、前記照明装置に対応して前記識別情報を登録することを特徴とする、請求項３又は４に記載の照明制御システム。
【請求項６】
前記照明制御装置は、
前記制御部の制御下で、前記照明装置をオン／オフするためのスイッチと、
前記照明装置の調光を制御するための制御手段と、
を含む表示画面を表示するための表示部と、を更に備え、
前記制御部は、前記スイッチ又は前記制御手段による指令を把握して、前記照明装置を制御することを特徴とする、請求項３又は４に記載の照明制御システム。
【請求項７】
前記制御部は、
前記照明装置のいずれか一つを基準照明装置として登録し、
前記基準照明装置を制御して、他の照明装置の少なくともいずれか一つを、周辺照明装置として登録することを特徴とする、請求項３に記載の照明制御システム。
【請求項８】
前記基準照明装置は、
前記照明制御装置の指令によって、前記他の照明装置に周辺検索信号を伝送し、
前記他の照明装置の少なくともいずれか一つから、前記周辺検索信号に対応する応答メッセージを受信して、前記照明制御装置に通知し、
前記照明制御装置は、前記基準照明装置を介して伝送される他の照明装置の少なくともいずれか一つから伝送された応答メッセージに基づいて、前記周辺照明装置の登録を実行することを特徴とする、請求項７に記載の照明制御システム。
【請求項９】
照明制御装置から照明装置に登録要求信号が伝送されるステップと、
前記照明制御装置が前記照明装置から前記登録要求信号に対応する応答メッセージを受信するステップと、
前記受信された応答メッセージに基づいて、前記照明制御装置に前記照明装置を登録するステップと、を有し、
前記応答メッセージには、前記照明装置を識別するための固有識別データが含まれ、
前記照明制御装置は、前記固有識別データを記憶して前記照明装置を登録し、前記記憶された識別データに基づいて、前記登録された照明装置を制御する、照明制御方法。
【請求項１０】
前記照明装置は、複数から構成され、
前記照明制御装置は、前記複数の照明装置に前記登録要求信号をそれぞれ伝送し、前記伝送した登録要求信号に対応する応答メッセージをそれぞれ受信することを特徴とする、請求項９に記載の照明制御方法。
【請求項１１】
前記登録ステップは、前記応答メッセージの受信信号強度が、予め記憶された受信信号強度を超えたとき、前記照明制御装置に前記照明装置を登録するステップを有することを特徴とする、請求項９又は１０に記載の照明制御方法。
【請求項１２】
前記登録ステップは、
登録モード時に、前記照明制御装置が、登録要求キー及び入力窓を含む表示画面を表示するステップと、
前記登録要求キーが選択されたとき、前記照明制御装置が、前記照明装置に前記登録要求信号を伝送するステップと、
前記受信された応答メッセージに基づいて、前記入力窓に前照明装置の識別情報が入力されたとき、前記照明制御装置が、前記照明装置に対応して前記識別情報を登録するステップと、
を有することを特徴とする、請求項９乃至１１のいずれか一項に記載の照明制御方法。
【請求項１３】
前記登録するステップは、
前記複数の照明装置のいずれか一つの照明装置を基準照明装置として登録するステップと、
前記基準照明装置を用いて前記基準照明装置を除いた他の照明装置を周辺照明装置として登録するステップと、
を有することを特徴とする、請求項１０に記載の照明制御方法。
【請求項１４】
前記周辺照明装置を登録するステップは、
前記基準照明装置が、走査指令を伝送するステップと、
前記基準照明装置が、前記照明装置の少なくとも他の一つから前記走査指令に対応する応答メッセージを受信するステップと、
前記基準照明装置が、前記応答メッセージの受信信号強度を測定するステップと、
前記基準照明装置が、前記受信信号強度を前記照明制御装置に伝送するステップと、
前記照明制御装置が、前記受信信号強度に応じて、前記照明装置の少なくとも他の一つを前記周辺照明装置として登録するステップと、
を有することを特徴とする、請求項１３に記載の照明制御方法。